(57)【要約】【課題】  容器主体に収容した主食材を目立ち易く陳列できる食品用容器を提供する。【解決手段】  胴部２１及び底部を有する主食材収容用の有底筒状の容器主体２と、胴部３１及び底部３２を有する副食材収容用の有底筒状の容器副体３と、を有し、前記容器副体３が、前記容器主体２の胴部に被さらないようにして前記容器主体２の底部に着脱可能に取り付けられており、前記容器主体２に取り付けられた状態で前記容器副体３の底部３２を接地させて自立可能である。【選択図】  図６
2019112102.tif 000002
【特許請求の範囲】
【請求項１】
胴部及び底部を有する主食材収容用の有底筒状の容器主体と、胴部及び底部を有する副食材収容用の有底筒状の容器副体と、を有し、
前記容器副体が、前記容器主体の胴部に被さらないようにして前記容器主体の底部に着脱可能に取り付けられており、
前記容器主体に取り付けられた状態で前記容器副体の底部を接地させて自立可能である、食品用容器。
【請求項２】
前記容器主体の底部の周囲に、内側に延びる下面部と前記下面部から下方に向かうに従って外側に傾斜した外面部とから構成される段差部が設けられており、
前記容器副体の上方部の周囲に、上端部と前記上端部から下方に向かうに従って外側に傾斜した内面部とから構成される嵌合部が設けられており、
前記容器副体の嵌合部が前記容器主体の段差部に嵌合されている、請求項１に記載の食品用容器。
【発明の詳細な説明】
【技術分野】
【０００１】
本発明は、食品などを入れて陳列販売するための食品用容器に関する。
【背景技術】
【０００２】
調理済み食品や半調理済み食品などの食品が、簡易な容器に収容されて百貨店、コンビニエンスストア、スーパーマーケットなどで販売されている。例えば、総菜やサラダなどの調理済み食品や、具材を混ぜ合わせて加熱すると可食できる食品などの半調理食品が、容器に入れられて陳列販売されている。
前記食品用容器としては、いわゆる使い捨て容器が用いられていることが多い。一般に、このような食品用容器としては、安価に製造できることから、比較的厚みの小さい樹脂製容器が用いられている。
特許文献１には、主食材を収容する容器本体と、蓋本体部と外蓋とよりなる蓋体とを備えた合成樹脂製シートからなり、前記蓋本体部に、副食材を区画して収容するための区画部が形成され、前記外蓋は、一対の扉部と基体部とにより形成され、且つ、前記扉部は前記基体部に開閉可能に連結していると共に、前記基体部において前記外蓋が前記蓋本体部に固定されている食材用容器が開示されている。
かかる食品用容器は、主食材を入れた容器本体の内部に副食材を入れた蓋本体部を収容し、その蓋本体部の上に外蓋を被せるものである。
【先行技術文献】
【特許文献】
【０００３】
【特許文献１】特開２０１２−０２０７８１号公報
【発明の概要】
【０００４】
特許文献１のような食品用容器にあっては、主食材を入れた容器本体の上側に副食材を入れた蓋本体部を収容しているので、この食品用容器を陳列棚に自立させて陳列した際に、購入者から主食材が見え難いという問題点がある。
購入者は主食材を目当てに商品（食品用容器に入れられた食品）を購入するところ、従来の容器にあっては、陳列時にその主食材が見え難いので、購入者に対して購買意欲を十分に喚起させることができていないのが現状である。
【０００５】
また、食材の中には、一般に温めて食するものと、一般に温めないものとがある。
特許文献１のような食品用容器において、一般に温めて食される主食材を容器本体に収容し、一般に温めずに食される副食材を蓋本体部に収容した場合、食品用容器の外蓋を開けて蓋本体部を取り出し、再び外蓋を容器本体に取り付けた後、その容器本体を電子レンジなどの加熱装置を利用して主食材を加熱した後、再び外蓋を開けて主食材を食する。
このような外蓋の着脱作業は面倒であり、その改善が求められる。
【発明が解決しようとする課題】
【０００６】
本発明の第１の目的は、容器主体に収容した主食材を目立ち易く陳列できる食品用容器を提供することである。
本発明の第２の目的は、簡単に主食材と副食材を分離できる食品用容器を提供することである。
【課題を解決するための手段】
【０００７】
本発明の食品用容器は、胴部及び底部を有する主食材収容用の有底筒状の容器主体と、胴部及び底部を有する副食材収容用の有底筒状の容器副体と、を有し、前記容器副体が、前記容器主体の胴部に被さらないようにして前記容器主体の底部に着脱可能に取り付けられており、前記容器主体に取り付けられた状態で前記容器副体の底部を接地させて自立可能である。
【０００８】
本発明の好ましい食品用容器は、前記容器主体の底部の周囲に、内側に延びる下面部と前記下面部から下方に向かうに従って外側に傾斜した外面部とから構成される段差部が設けられており、前記容器副体の上方部の周囲に、上端部と前記上端部から下方に向かうに従って外側に傾斜した内面部とから構成される嵌合部が設けられており、前記容器副体の嵌合部が前記容器主体の段差部に嵌合されている。
【発明の効果】
【０００９】
本発明の食品用容器は、容器副体が容器主体の底部に取り付けられているので、容器主体に収容した主食材を目立ち易く陳列できる。前記容器副体が容器主体の底部に着脱可能に取り付けられているので、蓋を開けなくても、容器主体と容器副体を分離でき、例えば、容器主体に収容された主食材のみを加熱できる。
また、本発明の好ましい食品用容器は、容器主体に取り付けられた容器副体が不用意に脱落することがなく、また、容器副体を変形などさせることにより、容器主体から容易に取り外すことができる。
【図面の簡単な説明】
【００１０】
【図１】第１実施形態に係る食品用容器の正面図。
【図２】同右側面図。
【図３】同平面図。
【図４】同底面図。
【図５】図３のＶ−Ｖ線で切断した縦断面図。
【図６】左半分を縦断面とした正面図。
【図７】図５の一部分を拡大した拡大縦断面図。
【図８】食品用容器の斜視図。
【図９】同分解斜視図。
【図１０】第２実施形態に係る食品用容器の正面図。
【図１１】同右側面図。
【図１２】同平面図。
【図１３】同底面図。
【図１４】第３実施形態に係る食品用容器の正面図。
【図１５】同平面図。
【図１６】同底面図。
【図１７】図１５のＸＶＩＩ−ＸＶＩＩ線で切断した縦断面図。
【図１８】第４実施形態に係る食品用容器の正面図。
【図１９】同右側面図。
【図２０】同底面図。
【図２１】同斜視図。
【図２２】図２１のＸＸＩＩ−ＸＸＩＩ線で切断した縦断面図。
【図２３】第５実施形態に係る食品用容器の正面図。
【図２４】同底面図。
【図２５】同斜視図。
【発明を実施するための形態】
【００１１】
以下、本発明について図面を参照しつつ説明する。
本明細書において、「上」は、食品用容器を水平な載置面に接地させて安定的に自立させた状態を基準にして、載置面から離れる側を指し、「下」は、同状態を基準にして、載置面に近づく側を指し、「上下方向」は、水平な載置面に対して鉛直な方向（容器の軸方向）を意味する。また、「下限値Ｘ〜上限値Ｙ」で表される数値範囲は、下限値Ｘ以上上限値Ｙ以下を意味する。前記数値範囲が別個に複数記載されている場合、任意の下限値と任意の上限値を選択し、「任意の下限値〜任意の上限値」を設定できるものとする。
【００１２】
［第１実施形態］
図１乃至図９は、第１実施形態に係る食品用容器を示す。図９は、食品用容器を構成する部材を分解した斜視図である。
図１乃至図９において、本発明の食品用容器１は、主食材収容用の有底筒状の容器主体２と、副食材収容用の有底筒状の容器副体３と、容器主体２の上方開放部を閉塞する蓋体４と、を有し、必要に応じて、容器主体２内に入れられる１つ又は複数の中子体５を有していてもよい。容器主体２及び容器副体３は、可撓性を有し、いずれも手で押圧することによって容易に変形可能なものである。また、蓋体４及び中子体５も同様に容易に変形可能なものが好ましい。
容器主体２及び容器副体３は、それぞれ、胴部２１，３１及び底部２２，３２を有する有底筒状の上方開放型の凹体からなる。以下、用語を区別するために、容器主体２の胴部２１及び底部２２を主胴部２１及び主底部２２といい、容器副体３の胴部３１及び底部３２を副胴部３１及び副底部３２という。
前記容器副体３が前記主胴部２１に被さらないようにして主底部２２に着脱可能に取り付けられており、前記食品用容器１は、容器主体２に取り付けられた状態で前記容器副体３の副底部３２を接地させて自立可能である。
【００１３】
前記容器主体２と容器副体３は、容器主体２に形成された段差部６と、容器副体３に形成された嵌合部７とを嵌合させることによって一体化でき、前記嵌合を解除することによって分離できる。例えば、段差部６は、内側に延びる下面部と、前記下面部から下方に向かうに従って外側に傾斜した外面部と、から構成され、嵌合部７は、上端部と、前記上端部から下方に向かうに従って外側に傾斜した内面部と、から構成される。
段差部６及び嵌合部７は、１組でもよく、２組以上であってもよい。
本実施形態では、容器主体２に２つの段差部６が設けられ、それに対応して、容器副体３に２つの嵌合部７が設けられている。
以下、用語を区別するために、容器主体２の１つの段差部６を「第１段差部６１」、もう１つの段差部６を「第２段差部６２」といい、前記第１段差部６１及び第２段差部６２のそれぞれの構成要素に「第１」、「第２」という接頭語を付す。同様に、容器副体３の１つの嵌合部７を「第１嵌合部７１」、もう１つの嵌合部７を「第２嵌合部７２」といい、前記第１嵌合部７１及び第２嵌合部７２のそれぞれの構成要素に「第１」、「第２」という接頭語を付す。
【００１４】
前記容器主体２と容器副体３は、別個独立した部材からなる。また、図示例の食品用容器１は、容器主体２、容器副体３、中子体５及び蓋体４を有し、これらの容器主体２、容器副体３、蓋体４及び中子体５もそれぞれ別個独立した部材からなる。なお、特に図示しないが、容器主体２、中子体５及び蓋体４から選ばれる少なくとも２つの部材が、ヒンジ部を介して連結されていてもよい。例えば、容器主体２の上縁部の一部分と蓋体４の周縁部の一部分の間に折り曲げ可能なヒンジ部が一体的に形成されていてもよく、このような場合、蓋体４をヒンジ部にて折り曲げることにより、容器主体２の上方開放部が蓋体４で閉塞される。
【００１５】
容器主体２及び容器副体３は、通常、合成樹脂から形成され、好ましくは、容器主体２、容器副体３、蓋体４及び中子体５の何れも合成樹脂から形成される。
合成樹脂としては、特に限定されず、一般的には、ポリエチレンテレフタレートなどのエステル系樹脂、ポリエチレンやポリプロピレンなどのオレフィン系樹脂、ポリスチレンなどのスチレン系樹脂、ナイロンなどのアミド系樹脂などの熱可塑性樹脂が挙げられる。本発明の食品用容器１に収容された食品を電子レンジなどの加熱装置にて加熱する場合には、前記容器主体２、容器副体３、蓋体４及び中子体５として、耐熱性に優れたもの（例えば、１２０℃以上の温度で溶融変形しないもの）が用いられる。
容器主体２、容器副体３、蓋体４及び中子体５の形成には、シート成形、射出成形などの成形法が用いられ、好ましくはシート成形法が用いられる。
【００１６】
容器主体２、容器副体３、蓋体４及び中子体５の各厚みは、特に限定されないが、指で押圧すると容易に変形する程度が好ましく、それぞれ独立して、例えば、１００μｍ〜１ｍｍであり、好ましくは１５０μｍ〜５００μｍである。
容器主体２は、外部から主食材を透視できるようにするため、透明（無色透明又は有色透明）であり、特に、無色透明であることが好ましい。また、容器副体３、蓋体４及び中子体５は、不透明でもよいが、少なくとも蓋体４及び中子体５は、透明（特に、無色透明）であることが好ましく、容器副体３、蓋体４及び中子体５のいずれも透明（特に、無色透明）であることがより好ましい。
なお、透明は、外部から内部の物を透視できることをいい、無色透明又は有色透明の何れかが含まれる。不透明は、外部から内部の物を透視できないことをいう。
食品用容器１の外面には、必要に応じて、容器主体２、容器副体３、蓋体４及び中子体５から選ばれる少なくとも１つに、図示しない商品ラベルなどが適宜貼付される。ただし、商品ラベルなどは、容器主体２に収容された主食材の全部を隠すことがないように、部分的に貼付される。
【００１７】
＜容器主体＞
容器主体２は、それ自体、主底部２２の底面を下にし、前記底面を水平な載置面に接地させて安定的に自立可能である。
容器主体２は、内部に主食材を収容できる大きさに形成されている。容器主体２の容量は、特に限定されないが、例えば、１００ｍｌ〜２０００ｍｌであり、好ましくは、１５０ｍｌ〜８００ｍｌである。
また、容器主体２の形状も特に限定されず、適宜設定できる。
容器主体２の主底部２２の形状は、図４に示すような底面視略円形状のほか、略楕円状；略四角形状、略三角形状、略六角形状、略八角形状などの略多角形状（好ましくは略正多角形状）；その他の異形状などが挙げられる。
本明細書において「略」は、本発明の属する技術分野において許容される範囲を意味する。前記略円及び略楕円の「略」は、例えば、周の一部が僅かに膨らむ又は窪んでいる形状、周の一部が若干直線又は斜線とされた形状などが含まれる。前記略四角などの略多角の「略」は、例えば、角部が面取りされている形状、辺の一部が僅かに膨らむ又は窪んでいる形状、辺が若干湾曲している形状などが含まれる。なお、角部が面取りされているとは、角張った部分の角を取り去り、その部分を弧状又はなだらかな鈍角状に形成することをいう。
また、容器主体２の主胴部２１の形状は、主底部２２の底面視形状に合致しており、図示例のような底面視略円形状の主底部２２の場合には、主胴部２１は、略円筒状に形成される。ただし、複数の容器主体２を重ねて保管（ネスティング保管）するため、容器主体２は、全体的に、上方に向かうに従って周長が若干大きくなるテーパ状に形成される。図示例では、主胴部２１は、上方に向かうに従って直径が若干大きくなっていく略円筒状に形成されている。
【００１８】
主胴部２１の上縁部には、フランジ部２１１が周設されている。
主底部２２（主胴部２１の下方部）には、容器副体３の嵌合部７が嵌合される段差部６（第１段差部６１、第２段差部６２）が設けられている。
第１段差部６１には、容器副体３の第１嵌合部７１が嵌合される。
第１段差部６１は、第１嵌合部７１と嵌合可能な構造であれば特に限定されない。第１段差部６１は、容器主体２の主底部２２の周囲に部分的に複数設けられていてもよく、主底部２２の周囲全体に周設されていてもよい。
【００１９】
図示例では、第１段差部６１は、主底部２２の周囲全体に周設されている。第１段差部６１は、例えば、内側に延びる第１下面部６１ａと、前記第１下面部６１ａから下方に向かうに従って外側に傾斜した第１外面部６１ｂと、から構成される。主底部２２の周囲全体に形成された第１段差部６１の第１下面部６１ａは、底面視でドーナツ状である。
第１下面部６１ａは、上下方向に対して直交する方向（以下、上下方向に対して直交する方向を水平方向という）に延設された面であってもよく、水平方向に対して若干傾斜した面であってもよい。図示例では、第１下面部６１ａは水平方向に延設されている。
第１下面部６１ａの外端は、主胴部２１に連設されていてもよく、或いは、（主胴部２１に連続せず）主底部２２の底面の縁部に連設されていてもよい。なお、第１下面部６１ａの外端が主底部２２の底面の縁部に連設されるとは、第１下面部６１ａが主底部２２の周縁よりも少し内側に形成されている場合であり、その場合の第１段差部６１は、主底部２２の周縁よりも内側において窪んだ凹状となる。
図示例では、第１下面部６１ａの外端は、主胴部２１に連設されていている。つまり、第１下面部６１ａの外端と主胴部２１の下端は、コーナー部を介して連設されている。コーナー部は、角張っていてもよく、湾曲状に形成されていてもよい。
【００２０】
第１段差部６１の第１外面部６１ｂは、第１下面部６１ａの内端に連設されており、その第１下面部６１ａの内端から下方に延設されている。容器副体３の第１嵌合部７１を強く嵌合させるために、第１外面部６１ｂは、下方に向かうに従って外側にずれるように、外側に傾斜して延設されている（下外側傾斜状に延設されている）。かかる第１外面部６１ｂは、図７に示すように、断面視で、上下方向に対して鋭角に延びる傾斜状に形成されている。第１外面部６１ｂの上下方向に対する傾斜角度（外側傾斜の角度）は、特に限定されないが、余りに大きいと、後述する第１嵌合部７１を嵌合させることが困難となり、余りに小さいと、実質的に傾斜させた意義がない。かかる観点から、第１外面部６１ｂの上下方向に対する傾斜角度は、例えば、２度〜１５度であり、好ましくは３度〜１０度であり、より好ましくは４度〜９度であり、さらに好ましくは６度〜８度である。
【００２１】
第１外面部６１ｂの下端は、第２段差部６２に連設されている。つまり、第１外面部６１ｂと主底部２２の底面との間に第２段差部６２が設けられている。
第２段差部６２は、第１段差部６１と同様に、主底部２２の周囲に部分的に複数設けられていてもよく、主底部２２の周囲全体に周設されていてもよい。図示例では、第２段差部６２は、主底部２２の周囲全体に周設されている。
第２段差部６２は、例えば、前記第１外面部６１ｂの下端から内側に延びる第２下面部６２ａと、前記第２下面部６２ａから下方に延びる第２外面部６２ｂと、から構成されている。周囲全体に形成された第２段差部６２の第２下面部６２ａは、底面視でドーナツ状である。
第２下面部６２ａは、水平方向に延設された面であってもよく、水平方向に対して若干傾斜した面であってもよい。図示例では、第２下面部６２ａは水平方向に延設されている。
【００２２】
第２段差部６２の第２外面部６２ｂの周長は、第１外面部６１ｂの周長よりも小さい。
第２外面部６２ｂは、下方に向かうに従って外側にずれるように、外側に傾斜して延設されていてもよく、或いは、下方に向かうに従って内側にずれるように、内側に傾斜して延設されていてもよく、或いは、上下方向に延設されていてもよい。図示例では、第２外面部６２ｂは、下方に向かうに従って内側にずれるように、内側に傾斜して延設されている。かかる下内側傾斜状の第２外面部６２ｂの上下方向に対する傾斜角度は、特に限定されないが、例えば、１度〜１２度であり、好ましくは２度〜１０度であり、より好ましくは４度〜６度である。
なお、第２外面部６２ｂが外側に傾斜して延設されている場合の傾斜角度などは、上記第１外面部６１ｂと同様である。
【００２３】
第２外面部６２ｂの下端は、主底部２２の底面に連設される。
主底部２２の底面は、容器主体２を自立させることができるように形成されていればよく、図示例のように全体的に水平方向に延びる平坦面であってもよく、或いは、平坦面とその一部分に上方に窪んだ凹部とを有していてもよい。
【００２４】
＜容器副体＞
容器副体３は、それ自体、副底部３２の底面を下にし、前記底面を水平な載置面に安定的に自立可能である。
容器副体３は、内部に副食材を収容できる大きさに形成されている。容器副体３の大きさは、容器主体２と同じ又はそれよりも大きくてもよいが、図示例では、容器主体２よりも小さく形成されている。容器副体３の容量は、特に限定されないが、例えば、容器主体２の容量の０．１倍以上１倍未満であり、好ましくは、０．１３倍〜０．８倍であり、より好ましくは０．１５倍〜０．５倍である。
容器副体３は、内部に副食材を収容できる大きさであればその形状は特に限定されない。
容器副体３の副底部３２の形状は、図４に示すような底面視略円形状のほか、略楕円状；略四角形状、略三角形状、略六角形状、略八角形状などの略多角形状；その他の異形状などが挙げられる。
また、容器副体３の副胴部３１の形状は、副底部３２の底面視形状に合致しており、図示例のような底面視略円形状の副底部３２の場合には、副胴部３１は、略円筒状に形成される。ただし、複数の容器副体３を重ねて保管（ネスティング保管）するため、容器副体３は、全体的に、上方に向かうに従って周長が若干大きくなるテーパ状に形成される。図示例では、副胴部３１は、上方に向かうに従って直径が若干大きくなっていく略円筒状に形成されている。
【００２５】
また、容器副体３の副胴部３１の周面には、襞部８が形成されている。襞部８は、必要に応じて設けられる。襞部８は、周方向に延びる長状の凸部８１と、前記凸部８１との相対的な関係で生じる凹部８２と、から構成されている。好ましくは、襞部８は、上下方向に間隔をあけて配置された少なくとも２つの凸部８１と、前記上下の凸部８１の間に生じる少なくとも１つの凹部８２と、から構成されている。図示例では、１０本の凸部８１が上下方向に間隔をあけて形成されている。凸部８１の高さ（凹部８２の深さに相当する。凸部８１の頂点と凹部８２との内外差とも言える）は、特に限定されず、例えば、０．０１ｍｍ〜１ｍｍであり、好ましくは０．１ｍｍ〜０．５ｍｍである。
襞部８は、図示例のように、副胴部３１の周囲全体に形成されていてもよく、或いは、副胴部３１の周囲に１箇所又は複数箇所に部分的に形成されていてもよい（図示せず）。
このような襞部８が副胴部３１に形成されていることにより、容器副体３を手で持ち易い上、不用意な滑り落ちを防止できる。
【００２６】
副胴部３１の上方部には、前記容器主体２の第１段差部６１に嵌合する第１嵌合部７１が設けられている。第１嵌合部７１は、容器主体２の第１段差部６１と嵌合可能な構造であれば特に限定されない。第１嵌合部７１は、容器副体３の副胴部３１の周囲に部分的に複数設けられていてもよく、或いは、副胴部３１の周囲全体に周設されていてもよい。
【００２７】
図示例では、第１嵌合部７１は、副胴部３１の上方部の周囲全体に周設されている。第１嵌合部７１は、例えば、第１上端部７１ａと、前記第１上端部７１ａから下方に向かうに従って外側に傾斜した第１内面部７１ｂと、から構成される。
第１上端部７１ａは、第１嵌合部７１を第１段差部６１に嵌合させた際に、第１段差部６１の第１下面部６１ａに接するように形成されていればよく、従って、第１上端部７１ａは、線状でもよく、或いは、面状でもよい。第１嵌合部７１を第１段差部６１に安定的に嵌合させることから、第１上端部７１ａは、図示のように面状に形成されていることが好ましく、さらに、第１段差部６１の第１下面部６１ａに当接するように、第１下面部６１ａと同じ方向に延びる面状に形成されていることがより好ましい。図示例では、第１上端部７１ａは、水平方向に延びる面部とされている。
【００２８】
第１上端部７１ａの内端には、下方に向かって内側に傾斜した第１連結部７１ｃを介して、第１内面部７１ｂが連設されている。第１内面部７１ｂは、下方に向かうに従って外側に傾斜して延設されている。かかる第１内面部７１ｂは、図７に示すように、断面視で、上下方向に対して鋭角に延びる傾斜状に形成されている。第１内面部７１ｂの上下方向に対する傾斜角度は、特に限定されないが、例えば、２度〜１５度であり、好ましくは３度〜１０度であり、より好ましくは４度〜９度であり、さらに好ましくは６度〜８度である。特に、第１嵌合部７１を第１段差部６１に嵌合させた際に、第１内面部７１ｂが第１外面部６１ｂに当接することから、第１内面部７１ｂは、図示例のように、第１外面部６１ｂと同じ角度で傾斜されていることが最も好ましい。この場合、第１内面部７１ｂの周長は、上下方向全体に亘って、第１外面部６１ｂの周長と略同じである。
【００２９】
第１内面部７１ｂの下端は、第２嵌合部７２に連設されている。つまり、第２内面部と副胴部３１との間に第２嵌合部７２が設けられている。
第２嵌合部７２は、第１嵌合部７１と同様に、副胴部３１の周囲に部分的に複数設けられていてもよく、或いは、副胴部３１の周囲全体に周設されていてもよい。図示例では、第２嵌合部７２は、副胴部３１の周囲全体に周設されている。
第２嵌合部７２は、例えば、第１内面部７１ｂの下端から内側に延びる第２上面部７２ａと、前記第２上面部７２ａから下方に延びる第２内面部７２ｂと、から構成されている。
第２上面部７２ａは、水平方向に延設された面であってもよく、水平方向に対して若干傾斜した面であってもよい。図示例では、第２上面部７２ａは水平方向に延設されている。
【００３０】
第２嵌合部７２の第２内面部７２ｂの周長は、第１内面部７１ｂの周長よりも小さい。
第２内面部７２ｂは、下方に向かうに従って外側にずれるように傾斜状に延設されていてもよく、或いは、下方に向かうに従って内側にずれるように傾斜状に延設されていてもよく、或いは、上下方向に延設されていてもよい。図示例では、第２内面部７２ｂは、下方に向かうに従って内側にずれるように、内側に傾斜して延設されている。かかる下内側傾斜状の第２内面部７２ｂの上下方向に対する傾斜角度は、特に限定されないが、例えば、１度〜１２度であり、好ましくは２度〜１０度であり、より好ましくは４度〜６度である。特に、第２嵌合部７２を第２段差部６２に嵌合させた際に、第２内面部７２ｂが第２外面部６２ｂに当接することから、第２内面部７２ｂは、図示例のように、第２外面部６２ｂと同じ角度で傾斜されていることが最も好ましい。この場合、第２内面部７２ｂの周長は、上下方向全体に亘って、第２外面部６２ｂの周長と略同じである。
【００３１】
第２内面部７２ｂには、副胴部３１の周面が連設されている。換言すると、第２内面部７２ｂは、副胴部３１の上方部の一部を成している。
副底部３２の底面は、容器副体３を自立させることができるように形成されていればよく、全体的に水平方向に延びる平坦面であってもよく、或いは、平坦面とその一部分に上方に窪んだ凹部とを有していてもよい。
【００３２】
＜中子体＞
中子体５は、容器主体２の内部に収容されるものである。中子体５は、必要に応じて用いられる。
中子体５は、容器主体２の内部に収容できる大きさに形成されている。中子体５には、主食材及び／又は副食材が入れられる。
中子体５としては、従来公知の構成を採用できる。
中子体５は、例えば、有底筒状の上方開放型の凹体からなり、その上縁部には、フランジ部５１１が周設されている。
容器主体２の上方から容器主体２の内部に中子体５を収容すると、中子体５のフランジ部５１１が、容器主体２のフランジ部２１１に当接し、中子体５が容器主体２の上方部に保持される。
【００３３】
＜蓋体＞
蓋体４は、容器主体２の上方開放部を閉塞するものである。なお、中子体５が容器主体２に収容されている場合には、蓋体４は、容器主体２の上方開放部を閉塞する中子体５の上方開放部を閉塞する。
蓋体４としては、従来公知の構成を採用できる。
例えば、蓋体４の周囲には、容器主体２のフランジ部２１１（及び／又は中子体５のフランジ部５１１）に係合する係合部が設けられている。係合部をフランジ部２１１に係合させることによって、蓋体４を容器主体２に取り付けることができ、その係合を解除することによって、蓋体４を取り外すことができる。
蓋体４の形状は、特に限定されないが、通常、容器主体２（主胴部２１）のフランジ部２１１の形状に合致しており、図示例のような平面視略円形状のフランジ部２１１の場合には、蓋体４は、平面視略円形状に形成される。
【００３４】
＜食品用容器＞
上記中子体５及び蓋体４が取り付けられた容器主体２に、容器副体３を取り付けることによって、図１乃至図８に示すような食品用容器１が得られる。
前記容器主体２と容器副体３は、段差部６と嵌合部７の凹凸嵌合によって着脱可能に取り付けられる。上記嵌合部７と段差部６の凹凸嵌合によれば、容器副体３が容器主体２から不用意に脱落することがない。特に、図７に示すように、第１段差部６１の第１下面部６１ａに第１嵌合部７１の第１上端部７１ａが当接され且つ第１段差部６１の外側傾斜の第１外面部６１ｂに第１嵌合部７１の外側傾斜の第１内面部７１ｂが当接されているので、容器副体３が安定的に容器主体２に取り付けられる。
容器主体２の主底部２２に取り付けられた容器副体３は、容器主体２の主胴部２１に被さらず、容器主体２の主胴部２１の略全体を視認できる。
【００３５】
容器主体２に収容する主食材の種類や容器副体３に収容する副食材の種類は、特に限定されない。
主食材は、購入の主対象となる食品をいい、副食材は、主食材に供される食品又は箸などの非食品をいう。
例えば、食品用容器１にサラダを入れる場合、容器主体２にメインとなる生野菜を入れ、中子体５にその生野菜に添える飾り的な生野菜を入れ、容器副体３にドレッシング入り袋を入れる。例えば、食品用容器１に麺類を入れる場合、容器主体２にメインとなる蕎麦を入れ、中子体５にその蕎麦に添える薬味を入れ、容器副体３につゆ入り袋を入れる。例えば、食品用容器１に加熱して食する食品として餡かけ焼きソバを入れる場合、容器主体２にメインとなる焼きソバを入れ、中子体５に餡などの薬味を入れ、容器副体３にうまみ調味料入り袋やスプーンなどを入れる。
【００３６】
本発明の食品用容器１は、容器副体３の底部を陳列棚などの載置面上に接地させることにより、上下方向に向いて自立させることができる。
前記食品用容器１は、主食材を収容する容器主体２の下方に容器副体３が取り付けられているので、容器副体３を下にして陳列棚（載置面）に置いたときに、容器主体２に収容した主食材が目立ち易くなる。
従来の食品用容器では、容器に収容した主食材（特に主食材の下側）が見えにくいが、本発明のように、容器主体２の下方に容器副体３が取り付けられていることにより、陳列時に容器主体２が上側に位置するようになり、容器主体２内に収容された主食材が目立ち、購入者から見え易くなる。
【００３７】
さらに、容器副体３は容器主体２に着脱可能に取り付けられているので、必要時に、容器副体３を容器主体２から容易に取り外すことができる。
例えば、容器副体３の副胴部３１を片手で持ち、もう一方の手で容器主体２の主胴部２１を持ち、副胴部３１を内側に押圧することにより、副胴部３１の上方部（嵌合部７）が変形して容器副体３を容器主体２から簡単に取り外すことができる。特に、容器副体３の副胴部３１には、襞部８が設けられているので、副胴部３１を押圧する際に手が滑りにくく、より簡単に容器副体３を容器主体２から取り外すことができる。
例えば、上述のように、食品用容器１にサラダが入れられている場合には、容器副体３を容器主体２から外し、蓋体４を開けて中子体５を取り出し、その中子体５に収納されている生野菜を容器主体２の生野菜と混ぜ合わせ、容器副体３に収容されたドレッシングを付けて食することができる。
また、例えば、食品用容器１に加熱して食する食品（例えば、焼き飯など）が入れられている場合には、容器副体３を容器主体２から取り外し、容器主体２の主食材を電子レンジなどを用いて加熱した後、蓋体４を開けて食品を食することができる。
本発明の食品用容器１によれば、蓋体４を開けなくても、容器主体２と容器副体３を分離できるので、容器主体２に加熱して食する食品を収容し、容器副体３に加熱しない副食材を収容しておくことにより、非常に簡単に、食品に適した加熱又は非加熱を実施できる。
さらに、容器副体３を容器主体２の外側且つ下方に取り付けているので、購入者が容器を手に取った際に、容器副体３に入れられた副食材を認識し易く、食する際に副食材の利用を忘れるという事態を防止できる。
【００３８】
以下、本発明の第２実施形態を説明するが、その説明に於いては、主として上記第１実施形態と異なる構成について説明し、同様の構成などについては、用語又は符号をそのまま援用し、その構成の説明を省略する場合がある（第３実施形態以降も同様である）。
【００３９】
［第２実施形態］
図１０乃至図１３は、第２実施形態に係る食品用容器を示す。
第２実施形態の食品用容器１は、容器主体２の主底部が底面視略楕円形状に形成され、主胴部２１が上方に向かうに従って直径が若干大きくなっていく略楕円筒状に形成されている。また、容器副体３の副底部３２が底面視略楕円形状に形成され、副胴部３１が上方に向かうに従って直径が若干大きくなっていく略楕円筒状に形成されている。
図１０乃至図１３では表されていないが、第２実施形態の食品用容器１も、第１実施形態で示したような段差部と嵌合部を有し、両者の嵌合により、容器副体３が容器主体２に着脱可能に取り付けられている。
【００４０】
［第３実施形態］
図１４乃至図１７は、第３実施形態に係る食品用容器を示す。
第３実施形態の食品用容器１は、容器主体２の主底部が底面視略正方形状に形成され、主胴部２１が上方に向かうに従って直径が若干大きくなっていく略正方形筒状に形成されている。また、容器副体３の副底部３２が底面視略正方形状に形成され、副胴部３１が上方に向かうに従って直径が若干大きくなっていく略正方形筒状に形成されている。
また、本実施形態の主胴部２１には、副胴部３１に形成された凸部８１及び凹部８２を有する襞部８と同様な、凸部８３及び凹部８４を有する襞部８が形成されている。
第３実施形態の食品用容器１も、第１実施形態で示したような段差部６と嵌合部７の嵌合により、容器副体３が容器主体２に着脱可能に取り付けられている。
なお、第３実施形態の食品用容器１は、中子体を有さない場合を図示している。
【００４１】
［第４実施形態］
図１８乃至図２２は、第４実施形態に係る食品用容器を示す。
第４実施形態の食品用容器１は、容器主体２の主胴部２１の一部又は全部が水平方向断面視で非円形状に形成されている。前記非円形状としては、略楕円状；略四角形状、略三角形状、略六角形状、略八角形状などの略多角形状（好ましくは略正多角形状）；その他の異形状などが挙げられる。具体的には、主胴部２１の一部又は全部が水平方向断面視で略十角形状（好ましくは略正十角形状）に形成されている。断面視略十角形状の主胴部２１は、立体的には、上方に向かうに従って径が若干大きくなっていく略十角筒状である。図示例では、主胴部２１のうち上方部を除く部分が、断面視略十角形状（好ましくは略正十角形状）に形成されている。
容器主体２の主底部２２は、底面視略多角形状（例えば、主胴部２１と同じ角数の多角形状）に形成されていてもよいが、図示例では、主底部２２は、底面視略円形状に形成されている。
容器副体３の副胴部３１及び副底部３２は、底面視略円形状に形成されている。また、蓋体４は、容器主体２（主胴部２１）のフランジ部２１１の形状に合致した形状に形成されており、図示例のような平面視略円形状のフランジ部２１１の場合には、蓋体４は、平面視略円形状に形成されている。
なお、特に図示しないが、フランジ部２１１が非円形状に形成されている場合には、蓋体４もそれと同様な形状に形成される。
第４実施形態の食品用容器１も、第１実施形態で示したような段差部６と嵌合部７の嵌合により、容器副体３が容器主体２に着脱可能に取り付けられている。
なお、第４実施形態の食品用容器１は、中子体を有さない場合を図示している。
【００４２】
［第５実施形態］
図２３乃至図２５は、第５実施形態に係る食品用容器を示す。
第５実施形態の食品用容器１は、第４実施形態と同様に、容器主体２の主胴部２１の一部又は全部が水平方向断面視で非円形状（図示例では、水平方向断面視で略十角形状、好ましくは略正十角形状）に形成されている。
容器主体２の主底部２２は、前記主胴部２１と同じ形状に形成されている。
本実施形態においては、容器副体３の副胴部３１の一部又は全部が水平方向断面視で非円形状に形成されている。前記非円形状としては、略楕円状；略四角形状、略三角形状、略六角形状、略八角形状などの略多角形状（好ましくは略正多角形状）；その他の異形状などが挙げられる。具体的には、副胴部３１の一部又は全部が水平方向断面視で略十角形状（好ましくは略正十角形状）に形成されている。断面視略十角形状の副胴部３１は、立体的には、上方に向かうに従って径が若干大きくなっていく略十角筒状である。図示例では、副胴部３１の全部が、断面視略十角形状（好ましくは略正十角形状）に形成されている。容器副体３の副底部３２は、底面視略円形状に形成されていてもよいが、図示例では、副底部３２は、略多角形状（例えば、主胴部２１と同じ角数の多角形状）に形成されている。
第５実施形態の食品用容器１も、第１実施形態で示したような段差部６と嵌合部７の嵌合により、容器副体３が容器主体２に着脱可能に取り付けられている。
【００４３】
［その他の実施形態］
上記各実施形態において、容器主体２には、第１段差部６１及び第２段差部６２が設けられているが、何れか一方の段差部６のみ（好ましくは第１段差部６１のみ）が設けられていてもよい。
上記各実施形態において、容器副体３には、第１嵌合部７１及び第２嵌合部７２が設けられているが、何れか一方の嵌合部７のみ（好ましくは第１嵌合部７１のみ）が設けられていてもよい。
また、上記各実施形態において、襞部８は、周方向に延びる長状の凸部８１又は８３と、周方向に延びる凹部８２又は８４と、から構成されているが、凸部及び凹部が周方向に延設されている場合に限られない。例えば、凸部及び凹部が上下方向に延びる襞部であってもよく、或いは、凸部及び凹部が上下方向に対して傾斜する方向に延びる襞部であってもよい（図示せず）。
【００４４】
上記様々な実施形態から選ばれる２以上の実施形態を適宜組み合わせてもよく、或いは、上記様々な実施形態から選ばれる１つ又は２つ以上の構成を、それ以外の実施形態に置換してもよい。例えば、第３実施形態で示した一部の構成（主胴部に形成された襞部）を第１実施形態に組み合わせるなどしてもよい。
【符号の説明】
【００４５】
１  食品用容器
２  容器主体
２１  容器主体の胴部
２２  容器主体の底部
３  容器副体
３１  容器副体の胴部
３２  容器副体の底部
６  段差部
６１ａ  段差部の下面部
６１ｂ  段差部の外面部
７  嵌合部
７１ａ  嵌合部の上端部
７１ｂ  嵌合部の内面部
【図１】
2019112102.tif 000003
【図２】
2019112102.tif 000004
【図３】
2019112102.tif 000005
【図４】
2019112102.tif 000006
【図５】
2019112102.tif 000007
【図６】
2019112102.tif 000008
【図７】
2019112102.tif 000009
【図８】
2019112102.tif 000010
【図９】
2019112102.tif 000011
【図１０】
2019112102.tif 000012
【図１１】
2019112102.tif 000013
【図１２】
2019112102.tif 000014
【図１３】
2019112102.tif 000015
【図１４】
2019112102.tif 000016
【図１５】
2019112102.tif 000017
【図１６】
2019112102.tif 000018
【図１７】
2019112102.tif 000019
【図１８】
2019112102.tif 000020
【図１９】
2019112102.tif 000021
【図２０】
2019112102.tif 000022
【図２１】
2019112102.tif 000023
【図２２】
2019112102.tif 000024
【図２３】
2019112102.tif 000025
【図２４】
2019112102.tif 000026
【図２５】
2019112102.tif 000027